(57)【要約】【課題】  安全性に優れた、ＣＴ撮影と一般撮影とを兼用可能とする放射線撮影装置を提供すること。【解決手段】  Ｘ線を照射するＸ線管球と、Ｘ線管球に対向して配置されたＸ線撮影部と、の間に配置された回転可能なテーブルに被検者を保持し、テーブルを回転させながらＸ線管球からＸ線を照射して被検者の断層像を撮影する放射線撮影装置は、被検者の撮影対象となる部位をＸ線照射領域内に位置決めする被検者支持部と、被検者支持部をＸ線照射領域とＸ線照射領域外との間で移動させる移動機構と、テーブル上に被検者が位置する場合に、移動手段の移動を制限する制限機構とを有する。【選択図】  図１
2009061193.tif 000002
【特許請求の範囲】
【請求項１】
Ｘ線を照射するＸ線管球と、前記Ｘ線管球に対向して配置されたＸ線撮影部と、の間に配置された回転可能なテーブルに被検者を保持し、前記テーブルを回転させながら前記Ｘ線管球からＸ線を照射して前記被検者の断層像を撮影する放射線撮影装置であって、
前記被検者の撮影対象となる部位をＸ線照射領域内に位置決めする被検者支持手段と、
前記被検者支持手段をＸ線照射領域とＸ線照射領域外との間で移動させる移動手段と、
前記テーブル上に前記被検者が位置する場合に、前記移動手段の移動を制限する制限手段と
を有することを特徴とする放射線撮影装置。
【請求項２】
前記制限手段は、前記テーブルに前記被検者が位置する場合に、当該被検者の負荷により凸状部材を動作させ、
前記制限手段により動作する前記凸状部材が前記移動手段を支持する支持手段に設けられた凹部と嵌合することにより、前記移動手段の移動が制限されることを特徴とする請求項１に記載の放射線撮影装置。
【請求項３】
前記制限手段は、放射線撮影装置を動作させるための電源が投入されていない状態でも、前記テーブルに前記被検者が位置する場合に動作することが可能であることを特徴とする請求項１または２に記載の放射線撮影装置。
【請求項４】
Ｘ線を照射するＸ線管球と、前記Ｘ線管球に対向して配置されたＸ線撮影部と、の間に配置された回転可能なテーブルに被検者を保持し、前記テーブルを回転させながら前記Ｘ線管球からＸ線を照射して前記被検者の断層像を撮影する放射線撮影装置であって、
前記被検者の撮影対象となる部位をＸ線照射領域内に位置決めする被検者支持手段と、
前記被検者支持手段をＸ線照射領域とＸ線照射領域外との間で移動させる移動手段と、
前記テーブルが回転状態にある場合、前記移動手段による移動を制限する制御手段と、
を備えることを特徴とする放射線撮影装置。
【請求項５】
前記移動手段を支持する支持手段と連結し、前記テーブルが回転中に前記被検者を保護するための保護手段と、
前記保護手段に設けられており、当該保護手段が予め定められた位置で前記テーブルに設けられた凹部と嵌合する嵌合手段と、
前記凹部と前記嵌合手段とが嵌合した状態であるか否かを検出する検出手段と、を更に備え、
前記制御手段は、前記凹部と前記嵌合手段とが嵌合した状態であることが前記検出手段により検出された場合、前記テーブルの回転駆動を許可することを特徴とする請求項４に記載の放射線撮影装置。
【発明の詳細な説明】
【技術分野】
【０００１】
本発明は、放射線撮影装置に関するものである。
【背景技術】
【０００２】
被検者の体外周から放射線を照射し、被検者を透過した放射線を検出し、変換した画像信号を再構成処理して、３次元断面画像を構築するコンピューテットトモグラフィー装置（ＣＴ装置）が医療の分野で利用されている。
【０００３】
ＣＴ装置としては、被検者を挟んで放射線源と放射線検出器が互いに対をなして構成され、被検者の周りをらせん状に回転移動させながら、多数の回転位置で透過放射線の強度を検出するヘリカルスキャンＣＴ方法が一般的である。
【０００４】
一方、近年では、固定した放射線源と放射線検出器間で、被検者側を回転させることにより断層画像を得る方法も考案されている。この種のＣＴ装置では、放射線検出器として２次元形状をした平面センサを用い、コーン状の放射線を照射することにより、３次元画像の再構成に必要な透視画像を１回のスキャンで取得することができる。また、通常のＣＴ装置では、不可欠である体軸方向の連続移動を不要としている。
【０００５】
被検者を回転して撮影を行う撮影方法では、被検者の体動が生じないように、姿勢を安定させながら回転させる必要があり、例えば、特許文献１では、これに対する対応策を盛り込んだ装置が提案されている。
【０００６】
特許文献１では、被検者の体動を抑えるため、被検者を支持する支持具を回転台上に設け、被検者を中腰姿勢で支持して撮影する装置が提案されている。また、特許文献１において、被検者の前方に下肢ガードを設けて、回転中の被検者の下肢が周囲の非回転部に接触することを防止する手段が開示されている。
一方、放射線検出器として大型の２次元平面センサを用いるため、これらの撮影装置は、一般的に高価なものとなっている。また、院内における限られた設置スペースを有効に活用する上でも、一台の撮影装置を用いてＣＴ撮影と一般撮影との異なる撮影形態の両方が行えることが要望されていた。
【０００７】
これに対して、被検者の支持具を移動して、Ｘ線照射範囲から退避することにより、回転台上にスペースを作り一般静止画撮影を可能にした、ＣＴ撮影と一般撮影とを兼用可能にした撮影装置が特許文献１に開示されている。
【０００８】
また、特許文献２においては、一般撮影とＣＴ撮影とを兼用可能にした撮影装置において、被検者支持部の位置を検出して、一般撮影とＣＴ撮影との撮影モードの制御を行う装置が提案されている。
【特許文献１】特開２００５−２０５０８２号公報
【特許文献２】特開２００６−７５２３６号公報
【発明の開示】
【発明が解決しようとする課題】
【０００９】
しかしながら前述の従来装置では、次に述べるような課題があった。
【００１０】
従来の装置では、一般撮影とＣＴ撮影とを兼用可能とするために、被検者支持部を回転テーブル上と撮影領域から外れた退避位置との間で移動させる移動機構を有している。そして、ＣＴ撮影時は、被検者支持部を、回転テーブル上の所定の位置に配置する。体動を抑えるため、被検者は、被検者支持部に身体が固定される。この時、被検者の体重の一部を被検者支持部に預けることになる。このような状態で、もし、被検者支持部の移動が生じてしまうと、不意の動きにより被検者を驚かせたり、被検者を保持している部分の相対的な動きにより被検者の体に負荷が加わったりする恐れがあった。また、被検者が回転テーブルに載る過程において、被検者支持部が移動してしまうと、被検者支持部が被検者に接触するようなことが生じ、安全性を損なう恐れがあった。
【００１１】
また、被検者支持部は、被検者の身体を支える為、ある程度の大きさ、重量を有した部材から構成される。これらが、回転テーブルの回転中に不用意に移動してしまった場合、周囲と衝突を生じる危険があり、安全性が損なわれる恐れがあった。これは、被検者が回転テーブル上に位置し、固定されている場合は勿論のこと、被検者が回転テーブル上に居ない状態で回転させる場合も、考慮する必要がある。
【００１２】
これらの課題について、従来例では、被検者支持部の移動に関する記載はあるが、被検者支持部の移動を制限する手段については記載が無く、前述のような観点から安全性を損なう恐れがあった。
【００１３】
本発明は、上述の課題を解決するためになされたものであり、安全性に優れた、ＣＴ撮影と一般撮影とを兼用可能とする放射線撮影装置を提供することを目的とする。
【課題を解決するための手段】
【００１４】
本発明に係る放射線撮影装置は、Ｘ線を照射するＸ線管球と、前記Ｘ線管球に対向して配置されたＸ線撮影部と、の間に配置された回転可能なテーブルに被検者を保持し、前記テーブルを回転させながら前記Ｘ線管球からＸ線を照射して前記被検者の断層像を撮影する放射線撮影装置であって、
前記被検者の撮影対象となる部位をＸ線照射領域内に位置決めする被検者支持手段と、
前記被検者支持手段をＸ線照射領域とＸ線照射領域外との間で移動させる移動手段と、
前記テーブル上に前記被検者が位置する場合に、前記移動手段の移動を制限する制限手段とを有することを特徴とする。
【発明の効果】
【００１５】
本発明によれば、安全性に優れた、ＣＴ撮影と一般撮影とを兼用可能とする放射線撮影装置を提供することが可能になる。
【発明を実施するための最良の形態】
【００１６】
以下、図面を参照して、本発明の好適な実施形態を例示的に詳しく説明する。ただし、この実施の形態に記載されている構成要素はあくまで例示であり、本発明の技術的範囲は、特許請求の範囲によって確定されるのであって、以下の個別の実施形態によって限定されるわけではない。
【００１７】
（第１実施形態）
図１は、本発明の第１実施形態にかかる放射線撮影装置の構成を示す図であり、被検者を回転させながら撮影を行うＣＴ撮影時の配置状態を示している。
【００１８】
放射線撮影装置は、Ｘ線を照射するＸ線管球と、Ｘ線管球に対向して配置されたＸ線撮影部と、の間に配置された回転可能なテーブルに被検者を保持する。そして、放射線撮影装置は、テーブルを回転させながらＸ線管球からＸ線を照射することにより、被検者の断層像を撮影することが可能である。
【００１９】
放射線撮影装置はＸ線発生装置１０１、Ｘ線管球１０２、被検者を搭載して回転軸１０３ｃ回りに３６０°回転可能な回転テーブル１０３、放射線検出器を内蔵して被検者１０４を透過したＸ線を検出するＸ線撮影部１０５を備える。また、放射線撮影装置は、回転テーブル１０３の回転、停止を行う回転駆動部１０６、制御部１０７、画像取込部１０８、画像処理部１０９を備える。
【００２０】
制御部１０７は、回転信号により回転駆動部１０６を制御して回転テーブル１０３の駆動を制御する。制御部１０７は、回転テーブル１０３に座った被検者１０４を回転テーブル１０３の回転駆動により回転させながら、Ｘ線照射信号でＸ線発生装置１０１を制御する。Ｘ線照射信号によりＸ線発生装置１０１が動作してＸ線管球１０２よりＸ線が照射される。また、Ｘ線の照射に同期して、制御部１０７は、画像取込部１０８を制御して、被検者１０４を透過したＸ線をＸ線撮影部１０５により画像データとして取り込む。画像処理部１０９では、被検者１０４の３６０°の方向からの画像データを用いて、被験者の断層像として３次元画像を構成することができる。
【００２１】
回転テーブル１０３上には、ＣＴ撮影に際し、被検者１０４を保持する被検者支持部が配置される。被検者支持部は、被検者１０４の撮影対象となる部位をＸ線管球１０２のＸ線照射領域内に位置決めすることが可能な被検者支持手段として機能する。被検者支持部の構成として、図１では、被検者が腰をかける椅子１１０と、被検者が背中を密着させる背当て１１１を例示している。なお、椅子１１０を有することにより、撮影中に被検者が撮影姿勢を維持する負担を軽減することが可能となる。また、座ることにより、被検者の体動が生じにくいという利点がある。
【００２２】
椅子１１０は、回転軸１０３ｃ上に位置し、被検者は、椅子１１０に座った状態で、背中を背当て１１１に密接させる。背当て１１１は、鉛直方向に長く、断面は、背中が密着し易い扇状の形をしている。また、背当て１１１の水平方向の位置は、被検者１０４の撮影対象部位１０４ａが背当て１１１に密着した状態で、被検者１０４の仮想体軸が回転テーブル１０３の回転軸１０３ｃとほぼ同軸となるように配置されている。背当て１１１の下端は、後方に配置された支持部１１３に接続され、同様に、椅子１１０の下部は、ブラケット１１４を介して、支持部１１３に接続された構成になっている。
【００２３】
また、背当て１１１には、被検者１０４の撮影対象部位を背当て１１１に固定するベルト１１５や被検者の上肢を上方に維持するハンドル１１６が取り付けられている。これら被検者１０４を固定する為の部材の構成は、任意であるが、間接的に、又は、直接的に支持部１１３に接続されている。
【００２４】
支持部１１３には、被検者支持部の移動手段として機能する回転支持部１１９が設けられている。支持部１１３は、回転支持部１１９を介して回転テーブル１０３と回転可能な状態で接続されている。回転支持部１１９は、例えば、回転テーブル１０３から突出したシャフト１２０と、ベアリング１２２を保持するホルダー１２１と、シャフト１２０とホルダー１２１とを回転可能にするベアリング１２２から構成することができる。回転支持部１１９により、支持部１１３は、回転軸１２０ｃを中心に回転駆動が可能である。なお、支持部１１３の回転は、ＣＴ撮影位置において、回転ロック機構部１２７によりロックされている。また、このロックは、支持部１１３の側面に設けられたノブ１２６の操作により解除される。
【００２５】
被検者支持部をＣＴ撮影状態から一般静止画撮影状態である退避位置（Ｘ線照射領域外となる領域）に移動する場合、ノブ１２６をまわし、回転ロック機構部１２７のロックを解除する。続けて、ノブ１２６を引っ張ることにより、支持部１１３を回転軸１２０ｃを中心に反時計方向に１８０度回転させる。被検者支持部材は、支持部１１３に、間接的に、又は、直接的に接続されているため、これらの部材は、支持部１１３と一体で回転する。
【００２６】
図３は、被検者支持部を退避位置（Ｘ線照射領域外となる領域）に移動させた状態を示す図である。被検者支持部を回転移動したことにより、Ｘ線撮影部１０５の前方に、構造物が何も無い状態が作り出される。これにより、被検者１０４が、回転テーブル１０３上を移動し、Ｘ線撮影部１０５に近接する動作が容易となる。そして、Ｘ線照射角Ｂにおいて、回転テーブル１０３の上方空間に遮蔽物が何も存在しないことから、被検者１０４の全身の任意の位置での一般静止画撮影が可能となる。また、すべての部材の退避位置（Ｘ線照射領域外となる領域）を、Ｘ線照射領域の片側に位置させたことから、回転テーブル１０３の周辺からのアクセスは、広範囲な領域が確保される。これにより、被検者１０４の昇降を容易とし、また、体が不自由な被検者を技師が助ける介助作業を容易に行うことが可能になる。
【００２７】
次に、本実施形態の特徴とする被検者１０４が回転テーブル１０３に載った状態で、被検者支持部の移動を制限する構成について説明する。
【００２８】
図１において、回転テーブル１０３の上面には、検知板２０１が設けられている。検知板２０１は、被検者１０４が回転テーブル１０３上に配置される範囲に組み込まれている。そして、被検者１０４が撮影に際し、回転テーブル１０３に載ると、被検者１０４の荷重により検知板２０１は、下方に移動し、支点２０３の周りを回動するレバー２０２を左周りに回転させる。レバー２０２の右端には、嵌合用の凸状部材としてロックピン２０４が回転自在に連結されており、レバー２０２の回転により、先端が回転テーブル上面より上方に突出する。検知板２０１、レバー２０２及び支点２０３は、回転テーブル１０３に被検者１０４が位置する場合に、被検者の負荷（体重）により凸状部材（ロックピン２０４）を動作させる制限手段として機能する。検知板２０１、レバー２０２及び支点２０３により構成される制限手段は、放射線撮影装置を動作させるための電源が供給されていない状態でも、回転テーブルに被検者１０４が位置する場合に動作することが可能である。一方、支持部１１３の下面には、嵌合用の凸状部材と嵌合する凹部として第１の溝２０５Ａが設けられ、突出したロックピン２０４の上部が第１の溝２０５Ａに嵌合する構造となっている。
【００２９】
これにより、被検者１０４が検知板２０１上に乗っている間（回転テーブルに被検者が位置する間）、ロックピン２０４が第１の溝２０５Ａに嵌合し、回転テーブル１０３に対する被検者支持部の移動が制限される。即ち、被検者１０４が回転テーブル１０３上に載ってから、撮影が終了して降りるまでの間、ＣＴ撮影位置から撮影領域外への被検者支持部の移動は制限されることになる。
【００３０】
また、支持部１１３の下面には、第１の溝２０５Ａとは別に、嵌合用の凸状部材と嵌合する凹部として第２の溝２０５Ｂが設けられている。第２の溝２０５Ｂは、第１の溝２０５Ａに対して、回転軸１２０ｃを対象軸として線対称の位置に設けられている。これにより、一般静止画撮影を行うために、被検者支持部をＣＴ撮影位置から撮影領域外の退避させた時、第２の溝２０５Ｂは、ロックピン２０４の上部に位置することになる。そして、被検者が一般静止画撮影を行うため、回転テーブルに載ると、前述のレバー２０２の機構が作動して、ロックピン２０４が回転テーブル１０３の上面から突出して、第２の溝２０５Ｂに嵌入する。これにより、被検者が回転テーブル１０３上に載っている間、撮影領域外にある被検者支持部をＣＴ撮影位置に戻す動作が制限される。
【００３１】
検知板２０１、レバー２０２、ロックピン２０４、第１の溝２０５Ａ及び第２の溝２０５Ｂは、被検者支持部の移動を制限する制限手段として機能する。被検者１０４が回転テーブル１０３上に位置する場合は、制限手段により、ＣＴ撮影位置から撮影領域外への被検者支持部の移動、及び、撮影領域外からＣＴ撮影位置への被検者支持部の移動が制限される。そのため、被検者が居る状態で突然動き出すことや、被検者が被検者支持部と接触するような危険性を回避することができる。
【００３２】
本実施形態では、ロック機構として、アクチュエータ等の電気部品を用いずに、機械的に動作するように構成した。これは、撮影装置への電源の投入にかかわらず、被検者支持部の移動が行えること、及び、移動の安全機構が作動することにより、いつでも安全に切替え作業が行える利点を有するためである。
【００３３】
尚、本発明の趣旨は、機械的に動作するような構成に限定されるものではなく、電気的に駆動するアクチュエータ、センサ等を用いて、被検者支持部の移動を制限する構成としても構わない。この場合、図１で示したような検知板２０１を利用して、近傍に検知板２０１の動きを検出する被検者検知センサを設けて、被検者が回転テーブル１０３上に位置することを検出する。検出結果は、撮影システムを制御する制御部１０７に伝えられ、移動制限手段を構成するロック機構を作動させる。ロック機構としては、例えば、図１で示したようなロックピン２０４をアクチュエータを用いて動作させる構成とすれば良い。また、支持部１１３内部の回転ロック機構部１２７の動作を制限する部材をアクチュエータにより動作させる構成としても良い。
【００３４】
また、図１では、被検者支持部の移動機構を手動にて移動させる例を説明したが、これを電動にて駆動する構成とすることも可能である。技師は、撮影形態の変更を行いたい場合、操作部（不図示）より被検者支持部の移動の指示を入力する。移動の指示は制御部１０７に入力され、制御部１０７は、被検者検知センサからの信号により、被検者１０４が回転テーブル１０３上に位置するか否かを判定する。そして、被検者１０４が回転テーブル１０３上に居ない場合のみ、制御部１０７は、被検者支持部の移動機構の可動を許可する。これにより、電動においても、安全に動作させることが可能となる。
【００３５】
また、図１に示した装置構成は、テーブル回転中の被検者支持部の移動を制限する手段も同時に有している。被検者１０４が回転テーブル１０３上に位置する場合、前述のレバー機構により、被検者の存在を検出して、被検者支持部の移動に制限を加えている。この為、回転テーブル１０３が回転しても、引き続き被検者支持部の移動は制限される。しかし、回転テーブル１０３上に被検者が居ない状態で、回転させる状況も生じ得る。例えば、電源投入時に行われる装置のイニシャライズや、被検者１０４が回転テーブル１０３に乗降する位置を調整する場合である。この時は、検知板２０１が作動しない為、前述のロック機構は働かない。そこで、本実施形態では、別にレバー２０２を動かす駆動源を備えることにより、回転テーブル１０３が回転状態にある時は、被検者１０４の有無に係わらず被検者支持部の移動に制限を加える構成としている。
【００３６】
図１において、レバー２０２を動作させるアクチュエータとしてソレノイド２１０が配置されている。ソレノイド２１０の可動鉄心２１０Ａは、レバー２０２の左端に回転自在に固定され、可動鉄心２１０Ａの引き込みによりレバー２０２を、支点２０３を回転中心に左周りに回転させる。ソレノイド２１０の動作は、制御部１０７により制御される。制御部１０７は、操作部から回転の指示が入力された場合、回転駆動部１０６に回転の信号を送ると共に、ソレノイド２１０を駆動する。ソレノイド２１０の駆動により、検知板２０１が作動した場合と同じように、レバー２０２が左周りに回転して、ロックピン２０４が突出する。そして、支持部１１３の底面の第１の溝２０５Ａにロックピン２０４が嵌り、被検者支持部のロックが行われる。これにより、回転テーブル１０３の回転中は、被検者の有無に拘らず、被検者支持部の移動機構のロックが行われる。
【００３７】
なお、前述の被検者の有無によるロック機構では、作業性を向上するため、電気部品を用いず、機械的にロックをかけるように構成した。一方、回転テーブル１０３の回転中における被検者支持部の移動機構のロックでは、アクチュエータを用いた構成としている。これは、回転テーブル１０３を回転させる場合は、電源の投入が必須であり、ロック機構にアクチュエータを用いても、作業性を悪化させる恐れが無い為である。
【００３８】
なお、実施形態において、被検者支持部の移動手段を、回転機構を用いた例で示したが、スライドレールのような直動機構で構成しても良い。この場合も、支持部１１３の下部に溝を設けて、ロックピン２０４がこの溝に入り込むように構成すれば、同様の制限を加えることができる。
【００３９】
（第２実施形態）
図２は、本発明の第２実施形態にかかる放射線撮影装置の構成を示す図である。第２実施形態の放射線撮影装置では、ＣＴ撮影時に被検者の前方に下肢ガードを設け、この下肢ガードを被検者支持部の移動を制限する制限手段に利用している。第１実施形態の構成と同一の構成に関しては、同一の参照番号を付して説明を省略している。
【００４０】
図２において、下肢ガードで３０１は、被検者１０４の回転中に周囲の非回転物に接触することを防止する保護手段として機能する。下肢ガード３０１の一端（図面上奥側）には、フレーム３０２が接続され、フレーム３０２の他端は、支持部１１３に接続され保持されている。フレーム３０２は、伸縮機構を有し、下肢ガード３０１を背当て１１１側に移動することが可能となっている。フレーム３０２は縮められた状態で収納部３０４に収納される。ＣＴ撮影形態から一般静止画撮影形態に変更する場合、図４Ａに示すように、下肢ガード３０１を背当て１１１側（矢印Ａ方向）に移動し、その後、前述の移動機構を用いて、回転退避することにより、図４Ｂのような状態にすることができる。図４Ｂに示すように、下肢ガード３０１を有しても、一般静止画撮影状態では、図３と同様にＸ線撮影部１０５の前方には構造物が何も無い状態（空間）を作り出すことが可能になる。
【００４１】
図５は、図２に示した装置構成を上方（ｚ方向）から見たｘｙ平面図である。前述のように下肢ガード３０１の一端にフレーム３０２が接続され、下肢ガード３０１の他端には、サイドガード３０３を設けている。ＣＴ撮影時、被検者１０４は下肢ガード３０１、サイドガード３０３、フレーム３０２に囲まれた状態となる。サイドガード３０３は、下肢ガード３０１に対して回転可能であり、手動にて図５に示すような予め定められた３ヶ所の位置ア、イ、ウに設定することができる。位置アは、サイドガード３０３が開いた状態で、被検者１０４が昇降する時は、この位置に設定しておく。そして、被検者１０４が椅子１１０に座り、撮影の準備が整った状態で、サイドガード３０３をイの位置に移動させる。イの位置では、撮影中に被検者の足が横からはみ出すことを防止する。また、前述の下肢ガード３０１を収納する機構を使用するときには、ウの位置にサイドガード３０３を収納した後、フレーム３０２を収納する収納部３０４に収納する。
【００４２】
図６は、サイドガード３０３に用いられる機構を説明する図である。サイドガード３０３は、足のはみ出しを防ぐガード部３１０と、ガード部３１０を支えるシャフト３１１から成り、シャフト３１１は、下肢ガード３０１に固定された円筒状のスリーブ３１２、３１３により、回転可能に支持されている。下方のスリーブ３１３には、ガイド溝３１４が、図６に示すように開けられている。このガイド溝３１４に、シャフト３１１の外周に固着させられたピン３１５が嵌りこむ。ピン３１５は、ガイド溝３１４に沿って移動するため、サイドガード３０３の動きはピン３１５の可動範囲に制限される。また、シャフト３１１は、スプリング３１６により、下方に押されている。このため、ピン３１５は、ガイド溝３１４におけるａ、ｂ、ｃの位置に保持される。この位置は、それぞれ図５における位置ア、イ、ウに対応する。位置アとイに該当するガイド溝の位置a、bは、位置ウに該当するガイド溝の位置cに対して、距離Ｌだけ下方に設けられている。これにより、サイドガード３０３が、アとイの位置にある場合は、ウの位置にある場合に比べ、シャフト３１１の下端が下方に距離Ｌだけ突出した状態となる。
【００４３】
一方、回転テーブル１０３上面で、シャフト３１１の真下に当たる位置には、凹部３１７が設けられている。そして、サイドガード３０３が、アとイの位置にある場合、シャフト３１１の下端が凹部３１７に嵌り、ウの位置にある場合、凹部３１７にシャフト３１１の下端が達しないような位置関係に設定されている。これにより、アとイの状態の時のみ、下肢ガード３０１の移動がロックされる。下肢ガード３０１は、フレーム３０２を介して支持部１１３に固定されているため、アとイの状態では、支持部１１３の移動は制限されることになる。
【００４４】
したがって、被検者１０４が乗り降りする状態と、被検者１０４が椅子１１０に座った状態では、被検者支持部の移動は、ロックされることになる。一方、位置ウの状態では、ロックされていないので、下肢ガード３０１の格納を行い、支持部１１３の移動を行うことが可能である。なお、これらの機構は、第１実施形態と同様に、電気部品を用いていないため、電源が投入されていない状態でもロック機構の機能を実現することができる。
【００４５】
シャフト３１１が凹部３１７に嵌り、サイドガード３０３がロックされた状態にあるか否かは、回転テーブル１０３内に配置されたセンサ３１８により検出することが可能である。センサ３１８として、例えば、金属部材を検出する近接センサを用い、凹部３１７の近傍に配置することで、凹部３１７に嵌ったシャフト３１１を検出することができる。近接センサは、金属性のシャフト３１１が凹部３１７に入っているか否かを検出することにより、ロック状態にあるか否かを検知する。センサ３１８からの検出結果は、制御部１０７に送られる。制御部１０７は、検出結果がロック状態にある場合のみ、回転を許可するように制御する。これにより、回転する場合は、必ず、被検者支持部は、ロックされることになる。
【００４６】
尚、制限手段として他の方式を用いた場合も、被検者が回転テーブル上に配置された状態で、ロックが働くように構成することにより、同様の効果を得ることができる。
【図面の簡単な説明】
【００４７】
【図１】第１実施形態にかかる放射線撮影装置の構成を示す図である。
【図２】第２実施形態にかかる放射線撮影装置の構成を示す図である。
【図３】被検者支持部を退避位置に移動させた状態を示す図である。
【図４Ａ】第２実施形態にかかる放射線撮影装置において、ＣＴ撮影形態から一般静止画撮影形態に変更する過程を説明する図である。
【図４Ｂ】第２実施形態にかかる放射線撮影装置において、一般静止画撮影形態に変更した状態を説明する図である。
【図５】第２実施形態にかかる放射線撮影装置を上方（ｚ方向）から見たｘｙ平面図である。
【図６】第２実施形態にかかる放射線撮影装置のサイドガードに用いられる機構を説明する図である。
【符号の説明】
【００４８】
１０１  Ｘ線発生装置
１０２  Ｘ線管球
１０３  回転テーブル
１０５  Ｘ線撮影部
１０６  回転駆動部
１０７  制御部
１０８  画像取込部
１０９  画像処理部
１１０  椅子
１１１  背当て
１１３  支持部
１１４  ブラケット
【図１】
2009061193.tif 000003
【図２】
2009061193.tif 000004
【図３】
2009061193.tif 000005
【図４Ａ】
2009061193.tif 000006
【図４Ｂ】
2009061193.tif 000007
【図５】
2009061193.tif 000008
【図６】
2009061193.tif 000009